Podtech/llm-jp-corpus-v4-ja_patent huggingface dataset:
【手続補正書】
【提出日】平成25年5月28日(2013.5.28)
【手続補正１】
【補正対象書類名】特許請求の範囲
【補正対象項目名】全文
【補正方法】変更
【補正の内容】
【特許請求の範囲】
【請求項１】
データストリームに対するフィードフォワードによる位相回復方法であって、
位相検出器が、受信したデータストリームのブロック各々について、位相推定基点を計算するステップと、
２つの位相推定基点の間で現在の位相を設定するステップと、
前記位相検出器におけるデータストリームの遅延を位相補間器における遅延と整合させるステップと
を有する位相回復方法。
【請求項２】
前記データストリームは、データブロックに分割されたデータフレームを含む、請求項１に記載の位相回復方法。
【請求項３】
前記位相推定基点を計算するステップが、尤度関数を極大化することによって行われる、請求項１に記載の位相回復方法。
【請求項４】
前記位相推定基点を計算するステップが、
ブロック各々における同期シンボルの数又はパイロットシンボルの数のうちの一方を計算するステップと、
整合フィルタが、同期シンボルの各々又はパイロットシンボルの各々を処理するステップと、
同期シンボル又はパイロットシンボルのブロックについてのキャリア位相オフセットを計算するステップと
を有する、請求項２に記載の位相回復方法。
【請求項５】
前記同期シンボルの数又は前記パイロットシンボルの数は、
Ｎ＝６４８００／（Ｍ×１４４０）
によって計算され、Ｍは変調係数であり、前記キャリア位相オフセットは、
【数３】
2012528524.tif 000001
によって計算され、ｚ（ｎＴ）は、パイロット又は同期シンボル各々についての整合フィルタ出力を表し、ａ（ｎＴ）は、時間ｎＴにおける予め知られているパイロット又は同期シンボルを表す、請求項４に記載の位相回復方法。
【請求項６】
前記キャリア位相オフセットは、位相オフセット推定器により計算される、請求項４に記載の位相回復方法。
【請求項７】
前記キャリア位相オフセットは、Ｆ（｜ｚ（ｎＴ）｜）ｅｊａｒｇｚ（ｎｔ）Ｍにより計算される、請求項６に記載の位相回復方法。
【請求項８】
前記２つの位相推定基点は、｜θ（ｉ−１）−θ（ｉ）｜＜π／Ｍによって定義される範囲内にあり、Ｍは変調係数を表す、請求項１に記載の位相回復方法。
【請求項９】
前記２つの位相推定基点を計算するステップが、のこぎり波装置により行われる、請求項１に記載の位相回復方法。
【請求項１０】
前記のこぎり波装置は、式θ”（ｉ）＝θ”（ｉ−１）＋ＳＡＷ（θ’（ｉ）−θ”（ｉ−１））により計算を行い、θ’（ｉ−１）、θ’（ｉ）は、（ｉ−１）番目及びｉ番目のブロックにおける位相オフセットの推定を表し、θ”（ｉ−１）、θ”（ｉ）は、対応するアンラッピング値を表す、請求項９に記載の位相回復方法。
【請求項１１】
後処理ブロックにより、位相変動を検出及び追跡するステップを更に有する請求項１０に記載の位相回復方法。
【請求項１２】
位相変動を検出及び追跡するステップは、θ”（ｉ）＝θ”（ｉ−１）＋α・ＳＡＷ（θ’（ｉ）−θ”（ｉ−１））の関係を用いて計算され、α≦１．０である、請求項１１に記載の位相回復方法。
【請求項１３】
周波数推定ブロックが、周波数推定を行うステップを更に有する請求項９に記載の位相回復方法。
【請求項１４】
請求項１−１３の何れか１項に記載の位相回復方法を実行する手段を有する、データストリームに対するフィードフォワードによる位相回復装置。
【手続補正２】
【補正対象書類名】明細書
【補正対象項目名】発明の名称
【補正方法】変更
【補正の内容】
【発明の名称】位相回復方法
【手続補正書】
【提出日】平成25年5月28日(2013.5.28)
【手続補正１】
【補正対象書類名】特許請求の範囲
【補正対象項目名】全文
【補正方法】変更
【補正の内容】
【特許請求の範囲】
【請求項１】
シンボルタイミングリカバリの方法であって、
受信された信号に１つ以上の差分相関演算を実行するステップと；
前記相関の関数のピーク値の間の時間差を測定するステップと；
粗いシンボルタイミングを決定するために、シンボルタイミングオフセットの推定として、前記時間差を用いるステップと；
前記粗いシンボルタイミングを利用して更なるデジタル信号を受信するステップと；
前記更なるデジタル信号を補間するステップと；
前記補間されたデジタル信号をフィルタリングするステップと；
次のデジタル信号を受信するために、前記補間されフィルタリングされたデジタル信号のタイミングエラーを利用するステップと；
を有する方法。
【請求項２】
前記相関演算は、繰り返された既知のシンボルを有する信号に対して実行される、請求項１記載の方法。
【請求項３】
前記相関演算は、２回実行される、請求項１記載の方法。
【請求項４】
前記相関演算は、信号に埋め込まれた既知の同期シンボルを用いたデータ補助されたフィードフォアードシンボルタイミングリカバリ方法を用いることによって実行される、請求項１記載の方法。
【請求項５】
シンボルタイミングリカバリのための装置であって、
受信信号に対して１つ以上の差分相関演算を実行するための処理回路と；
前記相関の関数のピーク値の間の時間差を測定するための回路と；
シンボルタイミングオフセットの推定として、前記時間差を利用して、粗いシンボルタイミングを決定するためのタイミングエラー検出器と；
前記粗いシンボルタイミングを利用して更なるデジタル信号を受信するための受信器と；
前記更なるデジタル信号を補間する補間器と；
前記補間されたデジタル信号をフィルタリングするフィルタと；
次のデジタル信号を受信するために、前記補間されフィルタリングされたデジタル信号のタイミングエラーを受信する受信器と；
を有する装置。
【請求項６】
前記相関演算は、繰り返された既知のシンボルを有する信号に対して実行される、請求項５記載の装置。
【請求項７】
前記相関演算は、２回実行される、請求項５記載の装置。
【請求項８】
前記相関演算は、信号に埋め込まれた既知の同期シンボルを用いたデータ補助されたフィードフォアードシンボルタイミングリカバリ方法を用いることによって実行される、請求項５記載の装置。
【請求項９】
シンボルタイミングリカバリの方法であって、
受信された信号に対して１つ以上の差分相関演算を実行するステップと；
前記相関の関数のピーク値の間の時間差を測定するステップと；
粗いシンボルタイミングを決定するために、シンボルタイミングオフセットの推定として、前記時間差を用いるステップと；
更なるデジタル信号を受信するために、前記粗いシンボルタイミングを用いるステップと；
更に受信されたデジタル信号を補間するステップであって、補間するステップは、数値制御ディレイによって制御される、ステップと；
ループフィルタによって、タイミングエラー検出信号をフィルタリングするステップと；
前記ループフィルタの出力を利用して、前記数値制御ディレイを制御するステップと；
整合フィルタ又は第２のフィルタの少なくとも１つを利用して、前記補間された出力をフィルタリングするステップであって、前記第２のフィルタも整合フィルタであり得る、ステップと；
細かなシンボルタイミングを決定するために、シンボルタイミングオフセットの更なる推定として、補間されフィルタリングされた信号のタイミングエラーを求めるステップと；
次のデジタル信号を受信するために、前記細かなシンボルタイミングを用いるステップと；
を有する方法。
【請求項１０】
シンボルタイミングリカバリのための装置であって、
受信した信号に対して１つ以上の差分相関演算を実行するための処理回路と；
前記相関の関数のピーク値の間の時間差を決定するための回路と；
シンボルタイミングオフセットの推定として、前記時間差を利用して、粗いシンボルタイミングを決定するための第１のタイミングエラー検出器と；
前記粗いシンボルタイミングを利用して、更なるデジタル信号を受信するための受信器と；
前記更に受信されたデジタル信号を補間するための補間回路であって、補間は、数値制御ディレイによって制御される、補間回路と；
時間差信号をフィルタリングするためのループフィルタと；
前記ループフィルタの出力を利用して、前記数値制御ディレイを制御するための制御器と；
整合フィルタ又は第２のフィルタの少なくとも１つを利用して、前記補間された出力をフィルタリングするためのフィルタであって、前記第２のフィルタも、整合フィルタであり得る、フィルタと；
細かなシンボルタイミングを決定するために、シンボルタイミングオフセットの推定として、補間されフィルタリングされた信号のタイミングエラーを計算するための第２のタイミングエラー検出器と；
前記細かなシンボルタイミングを利用して、次のデジタル信号を受信するための受信器と；
を有する装置。
【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
監視現場で機器を隠蔽し且つ該機器の検出を防止するよう監視現場の遠隔監査のために使用される隠蔽構造であって、
軽量で、手で持ち運び可能なフレームと、
軽量で、非金属製の、取り外し可能で交換可能な覆いとを含み、
前記フレームは、前記現場の選択的な場所に据え付けられるときに、前記場所に元々ある自然の又は人工的な物体の外形を形成し、
前記覆いは、前記フレームの上に適合し、前記覆いの外表面は、当該隠蔽構造が表現する前記自然の又は人工的な物体の外表面として通用する表面組織及び仕上がりを有し、
前記フレームは、当該隠蔽構造内に据え付けられる前記機器のための取付部をもたらし、
前記機器は、カメラ、オーディオ装置、前記監視現場と遠隔場所との間の通信のための送受信器、及び前記機器に電力供給するための手段のうちの１つ又はそれよりも多くを含み、
前記現場の監査を効果的に提供し、且つ、前記現場から前記現場の局所的な地域で起こっている活動の脅威評価が行われる遠隔場所に実時間情報を提供するために、前記機器は、当該隠蔽構造内の所望の向きに選択的に位置付け可能であり、
前記１つの監視現場から新しい監視現場に再配置可能である当該隠蔽構造は、当該隠蔽構造が新しい監視現場に元々ある自然の又は人工的な物体を表現するよう反復的に適合可能であるよう、当該隠蔽構造の前記覆いを取り外し且つ交換することを含む、
隠蔽構造。
【請求項２】
前記フレームは、一体に接続される複数のフレーム部材を含み、該フレーム部材は、直線区画と、湾曲区画とを含む、請求項１に記載の隠蔽構造。
【請求項３】
前記フレーム部材を一体に取り付けるためのブラケット及び締結具と、当該隠蔽装置内に機器部品を適切に位置付けるために前記フレーム部材に取り付けられる取付部とを更に含む、請求項２に記載の隠蔽構造。
【請求項４】
前記覆いは、材料ウェブを含み、前記覆いに表面組織及び深みを与えるよう、他の材料のスワッチが前記材料ウェブに適用される、請求項１に記載の隠蔽構造。
【請求項５】
前記覆いに自然に見える外観を与えるよう、前記覆いに適用される少なくとも１つのペイントを更に含む、請求項４に記載の隠蔽構造。
【請求項６】
前記覆いが風雨に長期に晒されるときでさえ、前記織物は切り裂けたり、引き裂けたり、或いは、粉々になったりしない、請求項４に記載の隠蔽構造。
【請求項７】
手で持ち運び可能な容器を更に含み、当該隠蔽構造は、前記容器内で、当該隠蔽構造が構築される現場に手で運搬される、請求項１に記載の隠蔽構造。
【請求項８】
前記フレームは、前記監視現場で起こっている活動を検出するために使用される１つ又はそれよりも多くのセンサのための取付部を更にもたらす、請求項１に記載の隠蔽構造。
【請求項９】
当該隠蔽構造によって表現される前記物体の形態及び形状は、概ね円筒形である、請求項１に記載の隠蔽構造。
【請求項１０】
当該隠蔽構造によって表現される前記物体の形態及び形状は、概ね非円筒形である、請求項９に記載の隠蔽構造。
【請求項１１】
当該隠蔽構造によって表現される前記物体の形態及び形状は、概ね長方形である、請求項１に記載の隠蔽構造。
【請求項１２】
当該隠蔽構造によって表現される前記物体の形態及び形状は、概ね不規則である、請求項１に記載の隠蔽構造。
【手続補正書】
【提出日】平成25年6月3日(2013.6.3)
【手続補正１】
【補正対象書類名】特許請求の範囲
【補正対象項目名】全文
【補正方法】変更
【補正の内容】
【特許請求の範囲】
【請求項１】
第１の単離された核酸配列を含むＧＰＶＩリガンドであって、
前記ＧＰＶＩリガンドは、グリコプロテインＶＩ（ＧＰＶＩ）に結合するものであり、
前記ＧＰＶＩリガンドは、５’から３’の方向に、第１の軸部、第１の環、第２の軸部、第２の環、第３の環、第３の軸部、及び、第４の環を含む二次構造を含み、
前記第４の環がＵＡＡを含むことを特徴とするＧＰＶＩリガンド。
【請求項２】
前記第２の環がスペーサで置換されたことを特徴とする請求項１のＧＰＶＩリガンド。
【請求項３】
前記第１の核酸が少なくとも１つの修飾されたヌクレオチドを含むことを特徴とする請求項１又は２のＧＰＶＩリガンド。
【請求項４】
前記ＧＰＶＩリガンドが担体に接合したものであることを特徴とする請求項１〜３のいずれか１項のＧＰＶＩリガンド。
【請求項５】
前記担体が親水性部位であることを特徴とする請求項４のＧＰＶＩリガンド。
【請求項６】
前記親水性部位がポリエチレングリコール（ＰＥＧ）分子であることを特徴とする請求項５のＧＰＶＩリガンド。
【請求項７】
前記ＧＰＶＩリガンドが修飾されたホスフェート骨格を含むことを特徴とする請求項１〜６のいずれか１項のＧＰＶＩリガンド。
【請求項８】
前記ＧＰＶＩリガンドが配列番号６９の配列を含み、
配列番号６９の位置１１の２’Ｏ−メチルＧと、位置１２の２’Ｏ−メチルＣとの間にスペーサが組み込まれていることを特徴とする請求項１のＧＰＶＩリガンド。
【請求項９】
前記ＧＰＶＩリガンドが修飾されたホスフェート骨格を含むことを特徴とする請求項８のＧＰＶＩリガンド。
【請求項１０】
前記ＧＰＶＩリガンドがポリエチレングリコール部位をさらに含むことを特徴とする請求項８又は９のＧＰＶＩリガンド。
【請求項１１】
前記ＧＰＶＩリガンドが、ＲＢ５６９、ＲＢ５７０及びＲＢ５７１からなる群より選択されることを特徴とする請求項８〜１０のいずれか１項のＧＰＶＩリガンド。
【請求項１２】
請求項１〜１１のいずれか１項の前記ＧＰＶＩリガンドを含むことを特徴とする医薬品組成物。
【請求項１３】
ＧＰＶＩリガンドに特異的に結合する調節因子であって、
前記調節因子は第２の核酸配列を含み、
前記ＧＰＶＩリガンドはグリコプロテインＶＩ（ＧＰＶＩ）に結合するものであり、
前記ＧＰＶＩリガンドは、５’から３’の方向に、第１の軸部、第１の環、第２軸部、第２の環、第３の環、第３の軸部及び第４の環を含む二次構造を含む第１核酸配列を含み、
前記第４の環がＵＡＡを含むことを特徴とする調節因子。
【請求項１４】
前記第２の核酸配列が約１０個〜約５０個のヌクレオチドからなることを特徴とする請求項１３の調節因子。
【請求項１５】
請求項１３又は１４の調節因子を含むことを特徴とする医薬品組成物。
【請求項１６】
配列番号８４の配列を含むことを特徴とする調節因子。
【請求項１７】
前記調節因子がＲＢ５１５であることを特徴とする請求項１６の調節因子。
【請求項１８】
請求項１３〜１７のいずれか１項の調節因子を含むことを特徴とする医薬品組成物。
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
その上に細胞媒体を灌流させて器官を成長させる器官マトリックス骨格を支持するように構成された器官チャンバー；
前記器官へ湿潤換気を供給するように構成された湿潤換気装置系；
前記器官へ乾燥換気を供給するように構成された乾燥換気装置系；および
湿潤換気の送達または乾燥換気の送達を制御するように構成されたコントローラ、
を包含する気道器官バイオリアクター装置。
【請求項２】
前記器官に接続された第１の分岐、第２の分岐および第３の分岐を含むコネクタ；ならびに
前記コネクタの第１の分岐および前記コネクタの第２の分岐が前記コネクタの第３の分岐と接続されており、前記第１の分岐と前記第２の分岐との間で切り替えるように構成されたスイッチを含む第１の三方向分岐合流点、
をさらに包含し、
前記湿潤換気装置系は、前記コネクタの第１の分岐を介して、前記器官に湿潤換気を供給するように構成され；
前記乾燥換気装置系は、前記コネクタの第２の分岐を介して、前記器官に乾燥換気を供給するように構成され；および
前記コントローラは、前記第１の三方向分岐合流点のスイッチを制御して、湿潤換気の送達または乾燥換気の送達を制御するように構成されている、請求項１記載の装置。
【請求項３】
細胞媒体を、入口ラインを介して前記器官に供給する；および
排出物である媒体を、第１の分岐、第２の分岐および第３の分岐を含む出口ラインを介して前記器官から排出する；
ように構成された容器系：ならびに
前記出口ラインの第１の分岐および前記出口ラインの第２の分岐が前記出口ラインの第３の分岐と接続されている第２の三方向分岐合流点、
をさらに包含する、請求項１記載の装置。
【請求項４】
前記湿潤換気装置系が: 
湿潤換気ラインを介して前記器官チャンバーに接続された湿潤換気装置；および
前記コネクタの第１の分岐を介して前記器官に接続されたコンプライアンスチャンバー
を包含する、請求項２記載の装置。
【請求項５】
前記コンプライアンスチャンバーの上昇を介して、湿潤呼気陽圧(wPEEP)が前記器官チャンバーに提供される、請求項４記載の装置。
【請求項６】
前記出口ラインの第２の分岐を介して前記器官チャンバー；および
出口戻りラインを介して前記容器系、
に接続した後負荷チャンバーをさらに包含する、請求項４記載の装置。
【請求項７】
前記容器系が:
入口ラインを介して前記器官チャンバーに接続した第１の容器；ならびに
器官チャンバー排液管を介して前記器官チャンバー、および前記出口戻りラインを介して後負荷チャンバー、に接続した第２の容器、
を包含し、
前記第１の容器および前記第２の容器は、容器供給ラインおよび容器排液管を介して媒体を循環させる、請求項６に記載の装置。
【請求項８】
前記乾燥換気装置系が: 
前記コネクタの第２の分岐を介して前記器官に接続された、噴霧器を含む乾燥換気チャンバー；および
前記器官チャンバーに乾燥呼気陽圧(dPEEP)を提供するように構成され、dPEEPラインを介して前記乾燥換気チャンバーに接続された、第１の乾燥換気装置、
を包含する、請求項３記載の装置。
【請求項９】
前記乾燥換気装置系が: 乾燥換気装置ラインを介して前記器官チャンバーに接続された第２の乾燥換気装置をさらに包含する、請求項８記載の装置。
【請求項１０】
ガス媒体を、前記器官チャンバー、前記乾燥換気チャンバー、および前記容器系に供給するように構成されたガスタンクをさらに包含する、請求項８記載の装置。
【請求項１１】
前記コントローラがコンピュータにより操作される、請求項１記載の装置。
【請求項１２】
気道および実質的な血管系を含む肺組織マトリックスを提供すること；
前記肺組織マトリックスに細胞を播種すること；
第１の所望の程度の器官成熟が生じるのに十分な時間の間、前記肺組織マトリックスに湿潤換気を提供して、湿潤成熟した器官を作製すること；ならびに
第２の所望の程度の器官成熟が生じるのに十分な時間の間、前記湿潤成熟した器官に乾燥換気を提供して、バイオ人工肺を提供すること、
を包含する、バイオ人工気道器官を提供する方法。
【請求項１３】
前記肺組織マトリックスに、前記器官の血管系を介して内皮細胞を播種すること；および
前記肺組織マトリックスに、器官の気道を介して上皮細胞を播種すること、
をさらに包含する、請求項１２記載の方法。
【請求項１４】
前記肺組織マトリックスに、前記器官の血管系を介して幹細胞を播種することをさらに包含する、請求項１３記載の方法。
【請求項１５】
前記幹細胞が、骨髄由来間葉性幹細胞、または人工多能性幹(iPS)細胞である、請求項１４記載の方法。
【請求項１６】
前記幹細胞は、流体30cc当たり約1億個の細胞の濃度で流体に懸濁され；
前記内皮細胞は、流体10cc当たり約1億個の細胞の濃度で流体に懸濁され；および
前記上皮細胞は、流体5cc当たり約1億個の細胞の濃度で流体に懸濁される、
請求項１４記載の方法。
【請求項１７】
前記第１の所望の程度の器官成熟が生じるまで、器官成熟の程度をモニタリングして、湿潤成熟した器官を作製すること；
前記器官への前記湿潤換気を止めること；
人工サーファクタントを前記器官に適用すること；および
前記器官に対して前記乾燥換気を開始すること、
をさらに含む、請求項１３記載の方法。
【請求項１８】
前記肺組織マトリックスに湿潤換気を提供することが:
前記気道を、湿潤換気装置ラインを介して、湿潤換気装置に接続すること；
前記器官を、湿潤換気ラインを介して、コンプライアンスチャンバーに接続すること；
前記湿潤換気ラインを介して、湿潤気道圧を上げること；および
前記コンプライアンスチャンバーを上昇させて、前記器官に湿潤呼気陽圧(wPEEP)を提供すること、
を包含する、請求項１２記載の方法。
【請求項１９】
前記湿潤換気が生理的一回換気量で提供される、請求項１８記載の方法。
【請求項２０】
前記湿潤成熟した器官に乾燥換気を提供することが:
前記気道を、乾燥換気ラインを介して、乾燥換気チャンバーに接続すること;
前記乾燥換気チャンバーを、乾燥呼気陽圧(dPEEP)ラインを介して、第１の乾燥換気装置に接続すること；
前記乾燥換気ラインを介して、乾燥気道圧を上げること；
前記湿潤換気ラインを断絶すること；および
前記器官を、乾燥換気装置ラインを介して、第２の乾燥換気装置に接続すること、
を包含する、請求項１２記載の方法。
【請求項２１】
前記肺組織マトリックスが、脱細胞化ヒト肺組織または人工肺マトリックスを包含する、請求項１２記載の方法。
【請求項２２】
前記バイオ人工肺が十分な数の細胞を包含して、完全な肺機能またはその一部を提供する、請求項１２記載の方法。
【請求項２３】
請求項１１〜２２記載の方法により作製される、バイオ人工肺。
【請求項２４】
前記器官が完全肺またはその一部である、請求項２３記載のバイオ人工肺。
【請求項２５】
請求項２３記載のバイオ人工肺からなる、肺活量の障害または低下を抱える被験体用の移植材料であって、前記バイオ人工肺が前記被験体に移植されるように用いられることを特徴とする、前記材料。
【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
組換え生産されたＣａｎ ｆ４アレルゲン、またはＣａｎ ｆ４アレルゲンと抗体に関するエピトープを共有するその変異体もしくはフラグメント。
【請求項２】
請求項１に記載のＣａｎ ｆ４アレルゲンまたはＣａｎ ｆ４アレルゲンと抗体に関するエピトープを共有するその変異体もしくはフラグメントをコードする核酸。
【請求項３】
配列番号１で示される配列を有する、請求項２に記載の核酸。
【請求項４】
請求項２または３に記載の核酸分子を含むベクター。
【請求項５】
請求項４に記載のベクターを含む宿主細胞。
【請求項６】
組換え生産されたＣａｎ ｆ４アレルゲン、またはＣａｎ ｆ４アレルゲンと抗体に関するエピトープを共有するその変異体もしくはフラグメントを含む、Ｉ型アレルギーのインビトロ診断用の薬剤。
【請求項７】
アレルゲン抽出物および／または少なくとも１種の精製されたアレルゲン成分を含む組成物に、組換え生産されたＣａｎ ｆ４アレルゲン、または、Ｃａｎ ｆ４アレルゲンと抗体に関するエピトープを共有するその変異体もしくはフラグメントを添加する工程を含む、アレルゲン組成物の製造方法。
【請求項８】
請求項７に記載の方法によって得られたアレルゲン組成物。
【請求項９】
インビトロのＩ型アレルギーの検出方法であって、該方法は、以下の工程：
Ｉ型アレルギーを有する疑いのある患者からの体液サンプルを、組換え生産されたＣａｎ ｆ４アレルゲンまたはＣａｎ ｆ４アレルゲンと抗体に関するエピトープを共有するその変異体もしくはフラグメントと、または、請求項８に記載のアレルゲン組成物と接触させること；および、
サンプル中における、前記Ｃａｎ ｆ４アレルゲンまたはＣａｎ ｆ４アレルゲンと抗体に関するエピトープを共有するその変異体もしくはフラグメントに特異的に結合するＩｇＥ抗体の存在を検出すること、
を含み、ここで前記Ｃａｎ ｆ４アレルゲンまたはＣａｎ ｆ４アレルゲンと抗体に関するエピトープを共有するその変異体もしくはフラグメントに特異的に結合するＩｇＥ抗体の存在は、Ｉ型アレルギーであることを示す、上記方法。
【請求項１０】
請求項９に記載の方法を行うための検出キットであって、組換え生産されたＣａｎ ｆ４アレルゲンまたはＣａｎ ｆ４アレルゲンと抗体に関するエピトープを共有するその変異体もしくはフラグメント、または、請求項８に記載の組成物を含む、上記キット。
【請求項１１】
哺乳動物に対するＩ型アレルギーの治療薬であって、組換え生産されたＣａｎ ｆ４アレルゲンまたはＣａｎ ｆ４アレルゲンと抗体に関するエピトープを共有するその変異体もしくはフラグメント、または、前記Ｃａｎ ｆ４アレルゲンまたはＣａｎ ｆ４アレルゲンと抗体に関するエピトープを共有するその変異体もしくはフラグメントの、ＩｇＥ結合応答が阻害されるかまたは弱められるように改変された形態を含む、上記治療薬。
【請求項１２】
前記哺乳動物がイヌであることを特徴とする、請求項１１に記載の治療薬。
【請求項１３】
組換え生産されたＣａｎ ｆ４アレルゲンまたはＣａｎ ｆ４アレルゲンと抗体に関するエピトープを共有するその変異体もしくはフラグメント、または、前記Ｃａｎ ｆ４アレルゲンまたはＣａｎ ｆ４アレルゲンと抗体に関するエピトープを共有するそれらの変異体もしくはフラグメントの、ＩｇＥ結合応答が阻害されるかまたは弱められるように改変された形態を含む、医薬組成物。
【請求項１４】
配列番号２で示されるアミノ酸配列を有する組換え生産されたＣａｎ ｆ４アレルゲンを含む、診断薬。
【請求項１５】
配列番号２で示されるアミノ酸配列を有する組換え生産されたＣａｎ ｆ４アレルゲンを含む、治療薬。
【請求項１６】
組換え生産されたＢｏｓ ｄ２３ｋアレルゲン、または、Ｂｏｓ ｄ２３ｋアレルゲンと抗体に関するエピトープを共有するその変異体もしくはフラグメントを含む、インビトロのＩ型アレルギー診断用の薬剤。
【請求項１７】
アレルゲン抽出物および／または少なくとも１種の精製されたアレルゲン成分を含む組成物に、組換え生産されたＢｏｓ ｄ２３ｋアレルゲン、または、Ｂｏｓ ｄ２３ｋアレルゲンと抗体に関するエピトープを共有するその変異体もしくはフラグメントを添加する工程を含む、アレルゲン組成物の製造方法。
【請求項１８】
請求項１７に記載の方法によって得られたアレルゲン組成物。
【請求項１９】
インビトロのＩ型アレルギーの検出方法であって、該方法は、以下の工程：
Ｉ型アレルギーを有する疑いのある患者からの体液サンプルを、組換え生産されたＢｏｓ ｄ２３ｋアレルゲン、または、Ｂｏｓ ｄ２３ｋアレルゲンと抗体に関するエピトープを共有するその変異体もしくはフラグメントと、または、請求項１８に記載のアレルゲン組成物と接触させること；そして、
サンプル中の、前記Ｂｏｓ ｄ２３ｋアレルゲン、または、Ｂｏｓ ｄ２３ｋアレルゲンと抗体に関するエピトープを共有するその変異体もしくはフラグメントに特異的に結合するＩｇＥ抗体の存在を検出すること、
を含み、ここで前記Ｂｏｓ ｄ２３ｋアレルゲンまたはＢｏｓ ｄ２３ｋアレルゲンと抗体に関するエピトープを共有するその変異体もしくはフラグメントに特異的に結合するＩｇＥ抗体の存在は、Ｉ型アレルギーであることを示す、上記方法。
【請求項２０】
請求項１９に記載の方法を行うための検出キットであって、該キットは、組換え生産されたＢｏｓ ｄ２３ｋアレルゲン、または、Ｂｏｓ ｄ２３ｋアレルゲンと抗体に関するエピトープを共有するその変異体もしくはフラグメント、または、請求項１８に記載の組成物を含む、上記キット。
【請求項２１】
哺乳動物に対するＩ型アレルギーの治療薬であって、組換え生産されたＢｏｓ ｄ２３ｋアレルゲン、または、Ｂｏｓ ｄ２３ｋアレルゲンと抗体に関するエピトープを共有するその変異体もしくはフラグメント、または、前記Ｂｏｓ ｄ２３ｋアレルゲンまたはＢｏｓ ｄ２３ｋアレルゲンと抗体に関するエピトープを共有するその変異体もしくはフラグメントの、ＩｇＥ結合応答が阻害されるかまたは弱められるように改変された形態を含む、上記治療薬。
【請求項２２】
前記哺乳動物がウシであることを特徴とする、請求項２１に記載の治療薬。
【請求項２３】
組換え生産されたＢｏｓ ｄ２３ｋアレルゲン、または、Ｂｏｓ ｄ２３ｋアレルゲンと抗体に関するエピトープを共有するその変異体もしくはフラグメント、または、前記Ｂｏｓ ｄ２３ｋアレルゲンまたはＢｏｓ ｄ２３ｋアレルゲンと抗体に関するエピトープを共有するその変異体もしくはフラグメントの、ＩｇＥ結合応答が阻害されるかまたは弱められるように改変された形態を含む、医薬組成物。
【手続補正書】
【提出日】平成25年5月15日(2013.5.15)
【手続補正１】
【補正対象書類名】特許請求の範囲
【補正対象項目名】全文
【補正方法】変更
【補正の内容】
【特許請求の範囲】
【請求項１】
煙草材料を熱加工するための方法であって：
（ｉ）湿性煙草調合物を形成するための、煙草材料、水、及びアクリルアミドを形成するアスパラギンの反応を抑制可能な、アミノ酸、アスパラギナーゼ、酸化剤、及びその組み合わせからなる群から選択される添加物の混合手順；
（ｉｉ）約２０００ｐｐｂ未満のアクリルアミド含有量を有する、熱処理煙草組成物を形成するための少なくとも約６０℃の温度での湿性煙草調合物の加熱手順；及び
（ｉｉｉ）煙草製品内への熱処理煙草組成物の使用手順
を含む、方法。
【請求項２】
熱処理煙草組成物が乾燥された無煙煙草製品として用いられる、請求項１に記載の方法。
【請求項３】
手順（ｉ）で形成された湿性煙草調合物が更に風味料、バインダー、及びフィラーを含み；及び湿性煙草調合物が加熱手順（ｉｉ）の前又は後に所望の製品形状に形成される、請求項２に記載の方法。
【請求項４】
手順（ｉ）で形成された湿性煙草調合物が約１０から約６０乾燥重量パーセントの煙草材料、最高約５０乾燥重量パーセントの１つ以上のフィラー、約２０から約８５重量パーセントの水、約５から約３０乾燥重量パーセントの１つ以上のバインダー、最高約１０乾燥重量パーセントの１つ以上の風味料、及び少なくとも約０．１乾燥重量パーセントの添加物を含む、請求項３に記載の方法。
【請求項５】
湿性煙草調合物が煙草調合物の全重量に基づき約２０重量パーセントを超える水分を有し；及び乾性無煙煙草製品が約１０重量パーセント未満の水分を有する、請求項３に記載の方法。
【請求項６】
添加物がリジン、グリシン、ヒスチジン、アラニン、メチオニン、グルタミン酸、アスパラギン酸、プロリン、フェニルアラニン、バリン、アルギニン、システイン、及びその組み合わせからなる群から選択されるアミノ酸である、請求項１〜５のいずれか一項に記載の方法。
【請求項７】
添加物がリジンである、請求項１に記載の方法。
【請求項８】
熱処理煙草組成物のアクリルアミド含有量が約１０００ｐｐｂ未満である、請求項１〜５のいずれか一項に記載の方法。
【請求項９】
湿性煙草調合物が少なくとも約１００℃の温度で加熱される、請求項１〜５のいずれか一項に記載の方法。
【請求項１０】
煙草調合物の乾燥重量に基づき、添加物が約０．１から約１０重量パーセントの間の量で存在する、請求項１〜５のいずれか一項に記載の方法。
【請求項１１】
加熱手順中の湿性煙草調合物のｐＨが約１０未満である、請求項１〜５のいずれか一項に記載の方法。
【請求項１２】
請求項１〜５のいずれか一項に従って製造される煙草製品。
【請求項１３】
熱処理煙草組成物が約１５００ｐｐｂ未満のアクリルアミド含有量を有する、煙草材料を含む熱処理煙草組成物。
【請求項１４】
熱処理煙草組成物が煙草材料、水、風味料、バインダー、及びフィラーを含む無煙煙草組成物である、請求項１３に記載の熱処理煙草組成物。
【請求項１５】
約１０重量パーセント以下の含水率を有する、請求項１３に記載の熱処理煙草組成物。
【請求項１６】
約１０から約６０乾燥重量パーセントの煙草材料、最高約５０乾燥重量パーセントの１つ以上のフィラー、約５から約３０乾燥重量パーセントの１つ以上のバインダー、及び最高約１０乾燥重量パーセントの１つ以上の風味料を含む、請求項１３に記載の熱処理煙草組成物。
【請求項１７】
熱処理煙草組成物がアミノ酸、アスパラギナーゼ、酸化剤、及びその組み合わせからなる群から選択された添加物の存在下で煙草材料を加熱することで形成される、請求項１３〜１６のいずれか一項に記載の熱処理煙草組成物。
【請求項１８】
手順（ｉ）で形成された湿性煙草調合物が更に、約６から約１０のｐＨ範囲内に緩衝化する緩衝剤を含む、請求項１〜５のいずれか一項に記載の方法。
【請求項１９】
湿性煙草調合物が、湿性煙草調合物の乾燥重量に基づき少なくとも約０．５乾燥重量パーセントの緩衝剤を含む、請求項１８に記載の方法。
【請求項２０】
緩衝剤が金属炭酸塩、金属重炭酸塩、及びその組み合わせからなる群から選択される、請求項１８に記載の方法。
【請求項２１】
緩衝剤が炭酸ナトリウム及び重炭酸ナトリウムを含む、請求項１８に記載の方法。
【請求項２２】
手順（ｉ）で形成された湿性煙草調合物が更に、塩化ナトリウムを含む、請求項１〜５のいずれか一項に記載の方法。
【請求項２３】
塩化ナトリウムの量が、湿性煙草調合物の乾燥重量に基づき約０．５から約８乾燥重量パーセントである、請求項２２に記載の方法。
【手続補正書】
【提出日】平成25年5月15日(2013.5.15)
【手続補正１】
【補正対象書類名】特許請求の範囲
【補正対象項目名】全文
【補正方法】変更
【補正の内容】
【特許請求の範囲】
【請求項１】
キャビティを規定する筐体、
前記筐体中の前記キャビティ中に取り付けられ、ロータシャフトを有するロータと少なくとも１個のボビンを有する固定子を有するモータ、
前記ボビンを前記固定子上で保持するように前記ボビンに対し着座して前記固定子に固定される前記筐体中の前記キャビティ中のプレート、
前記筐体中の前記キャビティ中に位置して前記ロータシャフトに連結されるギアアセンブリ、および
前記筐体中の前記キャビティ中に延長して前記ギアアセンブリに連結される出力シャフトを具備するアクチュエータ。
【請求項２】
前記ボビンがスロットをその間に規定する１対の端子を有し、前記プレートが前記ボビン中の前記スロットに嵌合される保持器位置合わせフィンガを有する請求項１のアクチュエータ。
【請求項３】
少なくとも１つの固定子取付ネジが前記固定子を前記筐体に固定し、前記プレートがその中に規定されて前記プレートを前記固定子に固定するために前記固定子取付ネジを受容する少なくとも１つのスルーホールを有する請求項２のアクチュエータ。
【請求項４】
各々がスロットをその間に規定する１対の端子を有する複数のボビンが前記固定子上に保持され、前記プレートが前記複数のボビンに対し着座するリングの形態であり、前記リングが各前記スロット中に嵌合される３つの離間したフィンガを有し、前記リングが固定子位置合わせピン用のアクセス開口を規定する少なくとも１つの固定子位置合わせスルーホールをさらに規定する請求項３のアクチュエータ。
【請求項５】
前記リングが波状の曲線パターンを有する請求項４のアクチュエータ。
【請求項６】
複数のボビンを固定子上で保持するためのクリップであって、
前記固定子と前記複数のボビンに対し着座し、波状で各前記複数のボビンに重なる複数の曲線領域を規定するリングプレート、
前記リングプレートの外面から外側に延長して各前記ボビン上に規定される各スロット中に嵌合されるように適合される複数の離間した位置合わせフィンガ、および
前記プレート中に規定されて前記リングプレートを前記固定子に固定するための各ネジを受容するように適合される複数の第１スルーホールを具備するクリップ。
【請求項７】
前記リングプレートの各前記曲線領域が各前記複数のボビン上に着座するボスを規定する請求項６のクリップ。
【手続補正書】
【提出日】平成25年3月18日(2013.3.18)
【手続補正１】
【補正対象書類名】特許請求の範囲
【補正対象項目名】全文
【補正方法】変更
【補正の内容】
【特許請求の範囲】
【請求項１】
サンプル中の毒素産生クロストリジウムディフィシル菌を検出し、特性解析する方法であって、
ａ．前記サンプルが準備されるステップと、
ｂ．多重ＰＣＲアッセイにおいて、
ｉ．前記サンプルが、細胞毒素ｔｃｄＢ遺伝子の有無について解析され、
ｉｉ．前記サンプルが、ｔｃｄＣ遺伝子の、
ａ）SEQ ID No. 1のヌクレオチド３３０からヌクレオチド３４７までの１８ｂｐ欠失、
ｂ）SEQ ID No. 1のヌクレオチド３０１からヌクレオチド３３６までの３６ｂｐ欠失、
ｃ）SEQ ID No. 1のヌクレオチド３４１からヌクレオチド３７０までの３９ｂｐ欠失、
ｄ）SEQ ID No. 1のヌクレオチド３１３からヌクレオチド３６６までの５４ｂｐ欠失、
ｅ）SEQ ID No. 1の位置１１７における単一ヌクレオチド欠失、
の１又は複数の有無について解析される、ステップと、
を含む方法。
【請求項２】
前記サンプルが、エンテロトキシンｔｃｄＡ遺伝子の１．８ｋｂ欠失の有無について付加的に解析される、請求項１に記載の方法。
【請求項３】
前記サンプルが、バイナリトキシンｃｄｔＡ及び／又はｃｄｔＢの有無について付加的に解析される、請求項１又は２に記載の方法。
【請求項４】
前記サンプルが、
ａ．SEQ ID No. 1のヌクレオチド３３０からヌクレオチド３４７までの１８ｂｐ欠失の有無、
ｂ． SEQ ID No. 1のヌクレオチド３４１からヌクレオチド３７０までの３９ｂｐ欠失の有無、
ｃ．SEQ ID No. 1の位置１１７の単一ヌクレオチド欠失の有無、
ｄ．細胞毒素ｔｃｄＢ遺伝子の有無、
ｅ．１．８ｋｂ ｔｃｄＡ欠失の有無、及び
ｆ．ｃｄｔＡ／Ｂバイナリトキシン遺伝子の有無、
について解析される、請求項１乃至３のいずれか１項に記載の方法。
【請求項５】
ａ．前記ｔｃｄＢ遺伝子の配列が存在し、ｔｃｄＡ欠失が無く、SEQ ID No. 1の位置１１７の単一ヌクレオチド欠失が無く、１８ｂｐ欠失が無く、３９ｂｐ欠失が無い場合、前記サンプルは、毒素産生クロストリジウムディフィシルとしてスコアリングされ、
ｂ．前記ｔｃｄＢ遺伝子の配列が存在し、ｔｃｄＡ欠失が無く、SEQ ID No. 1の位置１１７の単一ヌクレオチド欠失が存在し、１８ｂｐ欠失が存在し、ｃｄｔＡ／Ｂバイナリトキシン遺伝子が存在する場合、前記サンプルは、リボタイプ０２７クロストリジウムディフィシル菌としてスコアリングされ、
ｃ．前記ｔｃｄＢ遺伝子の配列が存在し、ｔｃｄＡ欠失が存在し、SEQ ID No. 1の位置１１７の単一ヌクレオチド欠失が無く、１８ｂｐ欠失が無く、SEQ ID No. 1のヌクレオチド３４１からヌクレオチド３７０までの３９ｂｐ欠失が無く、ｃｄｔＡ／Ｂバイナリトキシン遺伝子が無い場合、前記サンプルは、リボタイプ０１７クロストリジウムディフィシル菌としてスコアリングされ、
ｄ．前記ｔｃｄＢ遺伝子の配列が存在し、ｔｃｄＡ欠失が無く、SEQ ID No. 1のヌクレオチド３４１からヌクレオチド３７０までの３９ｂｐ欠失が存在し、ｃｄｔＡ／Ｂバイナリトキシン遺伝子が存在する場合、前記サンプルは、リボタイプ０７８クロストリジウムディフィシル菌としてスコアリングされる、請求項１乃至４のいずれか１項に記載の方法。
【請求項６】
前記多重ＰＣＲアッセイの多重増幅反応は、反応混合物中の蛍光指標の存在下で密閉システムにおいて行われ、前記蛍光指標は、前記増幅反応において各アンプリコンの存在及び／又は量に関連する光学的信号を生成し、前記増幅反応において前記蛍光指標の光学的信号を監視することが可能である、請求項１乃至５のいずれか１項に記載の方法。
【請求項７】
前記密閉システムは、ユーザに、前記スコアリングの付与を示す光学的出力を与える、請求項５を引用する請求項６に記載の方法。
【請求項８】
前記多重ＰＣＲアッセイの増幅産物が、６０乃至２００ｂｐの大きさである、請求項１乃至７のいずれか１項に記載の方法。
【請求項９】
前記多重ＰＣＲ増幅が定量リアルタイムＰＣＲである、請求項１乃至８のいずれか１項に記載の方法。
【請求項１０】
前記サンプルは、人間又は動物の排泄物である、請求項１乃至９のいずれか１項に記載の方法。
【請求項１１】
（ｉ）細胞毒素ｔｃｄＢ遺伝子、
（ｉｉ）ｔｃｄＡ遺伝子の１．８ｋｂ欠失、
（ｉｉｉ）ｔｃｄＣ遺伝子のSEQ ID No. 1のヌクレオチド３３０からヌクレオチド３４７までの１８ｂｐ欠失、
（ｉｖ）ｔｃｄＣ遺伝子のSEQ ID No. 1のヌクレオチド３４１からヌクレオチド３７０までの３９ｂｐ欠失、
（ｖ）SEQ ID No. 1の位置１１７の単一ヌクレオチド欠失、を増幅し及び／又は検出するためのプライマ及び／又はプローブと、
（ｖｉ）バイナリトキシンｃｄｔＡ／Ｂ遺伝子を検出するためのプライマ及び／又はプローブと、
を含む１又は複数のチャネル又はチャンバを有する密閉システム増幅カートリッジ。
【請求項１２】
請求項１乃至１０のいずれか１項に記載の方法を実施するためのキットであって、
（ｉ）細胞毒素ｔｃｄＢ遺伝子、
（ｉｉ）ｔｃｄＡ遺伝子の１．８ｋｂの欠失、
（ｉｉｉ）ｔｃｄＣ遺伝子のSEQ ID No. 1のヌクレオチド３３０からヌクレオチド３４７までの１８ｂｐ欠失、
（ｉｖ）ｔｃｄＣ遺伝子のSEQ ID No. 1のヌクレオチド３４１からヌクレオチド３７０までの３９ｂｐ欠失、
（ｖ）SEQ ID No. 1の位置１１７の単一ヌクレオチド欠失、を増幅し及び／又は検出するためのプライマ及び／又はプローブと、
（ｖｉ）バイナリトキシンｃｄｔＡ／Ｂ遺伝子を検出するためのプライマ及び／又はプローブと、
を含むキット。
【手続補正書】
【提出日】平成25年5月14日(2013.5.14)
【手続補正１】
【補正対象書類名】特許請求の範囲
【補正対象項目名】全文
【補正方法】変更
【補正の内容】
【特許請求の範囲】
【請求項１】
移動通信ネットワークにおいて移動機支援ハンドオーバを実行する方法であって、当該方法は移動端末によって実行される方法であり、
前記移動端末が備える少なくとも１つのデータ受信部または送信部の進行中のデータ受信またはデータ送信に関連した情報を受け付ける受付ステップと、
前記受け付けた情報に基づいて、前記進行中のデータ受信またはデータ送信によって、ハンドオーバの候補となるセルを示すユニークセル識別情報を受信できるようになるかどうかを判別する判別ステップであって、前記進行中のデータ受信またはデータ送信を停止することなく、所定の期間内に前記ユニークセル識別情報を受信することが可能かどうかを判定するステップを有する判別ステップと、
前記判別ステップの判別結果に応じて、選択的に、
・前記進行中のデータ受信またはデータ送信を停止し、
・前記ハンドオーバの候補となるセルを示すユニークセル識別情報を受信し、
・前記ユニークセル識別情報を受信した後で、前記進行中のデータ受信またはデータ送信を再開するステップと、
前記移動通信ネットワークの在圏基地局に対して、前記受信したユニークセル識別情報を送信する送信ステップと
を有することを特徴とする方法。
【請求項２】
前記在圏基地局に対して、前記ハンドオーバの候補となるセルを示す非ユニークのセル識別情報を送信するステップ
をさらに有することを特徴とする請求項１に記載の方法。
【請求項３】
前記在圏基地局に対して前記ハンドオーバの候補となるセルを示す非ユニークのセル識別情報を送信したことに応じて、前記ハンドオーバの候補となるセルのユニークセル識別情報を提供するよう要求するリクエストを前記在圏基地局から受信するステップ
をさらに有することを特徴とする請求項２に記載の方法。
【請求項４】
前記受付ステップは、
前記データ受信またはデータ送信のために割り当てられたリソースを示す情報を受け付けるステップ
を有することを特徴とする請求項１ないし３のいずれか１項に記載の方法。
【請求項５】
前記ユニークセル識別情報は、既定の時間間隔で前記ハンドオーバの候補となるセルから送信され、
前記判別ステップは、
前記データ受信またはデータ送信のためにスケジュールされた複数のタイムスロットのうち、前記ユニークセル識別情報を受信するためのタイムスロットと競合しているタイムスロットを識別するステップ
をさらに有することを特徴とする請求項４に記載の方法。
【請求項６】
前記受付ステップは、
前記進行中のデータ受信またはデータ送信が関連しているデータサービスの種類を示す情報を受け付けるステップ
を有することを特徴とする請求項１ないし５のいずれか１項に記載の方法。
【請求項７】
前記受付ステップは、
前記移動端末に実装されているサービスアプリケーションから情報を受け付けるステップ
を有することを特徴とする請求項６に記載の方法。
【請求項８】
前記判別ステップは、
前記受け付けたサービス情報を１つ以上の所定のサービスインジケーションと比較するステップ
を有することを特徴とする請求項１、３、６、７のいずれか１項に記載の方法。
【請求項９】
前記所定のサービスインジケーションは、通話サービス、ストリーミングサービス、ビットレート保証サービス、および、低優先度サービスのうち１つ以上のサービスに分類されたサービスであることを特徴とする請求項８に記載の方法。
【請求項１０】
前記進行中のデータ受信またはデータ送信を停止するステップは、
前記在圏基地局に対して、１つ以上のデータ受信否定応答インジケーションを送信するステップ
を有することを特徴とする請求項１ないし９のいずれか１項に記載の方法。
【請求項１１】
前記移動通信ネットワークは、ロング・ターム・エボリューション（ＬＴＥ）ネットワークであることを特徴とする請求項１ないし１０のいずれか１項に記載の方法。
【請求項１２】
請求項１ないし１１に記載の方法をコンピュータに実行させるコンピュータプログラムを記憶したコンピュータ可読記憶媒体。
【請求項１３】
移動通信ネットワークにおいて移動機支援ハンドオーバを実行する移動端末であって、
前記移動端末が備える少なくとも１つのデータ受信部または送信部の進行中のデータ受信またはデータ送信に関連した情報を受け付ける受付コンポーネントと、
前記受付部が受け付けた情報に基づいて、前記進行中のデータ受信またはデータ送信によって、ハンドオーバの候補となるセルを示すユニークセル識別情報を受信できるようになるかどうかを判別する判別コンポーネントであって、前記進行中のデータ受信またはデータ送信を停止することなく、所定の期間内に前記ユニークセル識別情報を受信することが可能かどうかを判定する、判別コンポーネントと、
前記判別コンポーネントの判別結果に応じて、選択的に、
・前記進行中のデータ受信またはデータ送信を停止し、
・前記ハンドオーバの候補となるセルを示すユニークセル識別情報を受信し、
・前記ユニークセル識別情報を受信した後で、前記進行中のデータ受信またはデータ送信を再開する１つ以上のコンポーネントと、
前記移動通信ネットワークの在圏基地局に対して、前記受信したユニークセル識別情報を送信する送信コンポーネントと
を有することを特徴とする移動端末。
【請求項１４】
前記データ受信またはデータ送信のために割り当てられたリソースを示す情報を受け付けるコンポーネントと、
前記データ受信またはデータ送信に関連したデータサービスの種類を示す情報を受け付けるコンポーネントと
をさらに有する
ことを特徴とする請求項１３に記載の移動端末。
【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
セルラ無線ネットワークと通信するための第１のインタフェースと、ブロードバンド・ネットワークを通じてインターネットと通信するための第２のインタフェースとを含み、前記第１のインタフェースでセルラ装置が接続されるフェムトセル装置における方法であって、前記フェムトセル装置における前記ブロードバンド・ネットワークとの通信が非活動状態であるときに、
前記セルラ装置との前記接続を維持するステップと、
マクロセルとして機能するセルラー・ネットワークの基地局から前記第１のインタフェースで受信されたページング・トラフィックをリッスンするステップと、
前記基地局からの前記セルラ装置宛てのページング・メッセージを受信したときに、前記マクロセルにリダイレクトするように前記セルラ装置に通知するステップと、を含む前記方法。
【請求項２】
セルラ無線ネットワークと通信するための第１のインタフェースと、ブロードバンド・ネットワークと通信するための第２のインタフェースとを含み、前記第１のインタフェースでセルラ装置が接続されるフェムトセル装置における方法であって、前記フェムトセル装置における前記ブロードバンド・ネットワークとの通信が非活動状態であるときに、
前記セルラ装置との前記接続を維持するステップと、
前記セルラ装置からモバイル・ネットワーク呼確立を受信したときに、前記呼確立を拒絶し、マクロセルとして機能するセルラー・ネットワークの基地局にリダイレクトするように前記セルラ装置に通知するステップとを含む、方法。
【請求項３】
フェムトセル装置であって、
セルラ無線ネットワークと通信するための第１のインタフェースと、
ブロードバンド・ネットワークを通じてインターネットと通信するための第２のインタフェースと、
前記ブロードバンド・ネットワークとの通信が非活動状態であるときに、マクロセルとして機能するセルラー・ネットワークの基地局から前記第１のインタフェースで受信され、前記フェムトセル装置に接続されたセルラ装置宛てである、ページング・メッセージを識別するページング・モジュールと、
前記基地局からの前記フェムトセル装置に接続されたセルラ装置宛てのページング・メッセージを受信したときに、前記マクロセルにリダイレクトするように前記セルラ装置に通知するリダイレクト・モジュールとを含む、フェムトセル装置。
【手続補正書】
【提出日】平成25年5月15日(2013.5.15)
【手続補正１】
【補正対象書類名】特許請求の範囲
【補正対象項目名】全文
【補正方法】変更
【補正の内容】
【特許請求の範囲】
【請求項１】
タイヤ（１１２）、および作動のために電力の供給を必要とする電気センサ（１００）を装備しているホイールであって、前記ホイールは、加圧下で前記タイヤ内に閉じ込められている気体と、前記タイヤの外部に存在している大気との間の圧力差を、前記電気センサ（１００）への電力供給のために用いられる電気エネルギーに変換するための変換システム（２００、２）を備えていることを特徴とするホイール。
【請求項２】
前記変換システム（２００、２）は、
−  加圧下で前記タイヤ内に閉じ込められている前記気体に流体的に連絡している入口ノズル（２０８、６）と、前記タイヤの外部に存在している大気に流体的に連絡している出口ノズル（２１０、８）と、
−  前記入口ノズルから前記出口ノズルまで流れる際に膨張する前記気体の作用によって変位することができる少なくとも１つのアーム（２２０、１２、１４）と、
−  前記アームの変位によって生じる機械エネルギーを、前記センサへの電力供給のために用いられる電気エネルギーに変換することができる電気機械トランスデューサ（２０６、２２、２４）
とを備えている、請求項１に記載のホイール。
【請求項３】
前記入口ノズルから前記出口ノズルまで流れる前記気体の流量を、１０-5ｍ3／ｓｅｃ未満、または１０-6ｍ3／ｓｅｃ未満に制限することができるボトルネック状部を有している、請求項２に記載のホイール。
【請求項４】
前記出口ノズル（２１０、８）は、前記気体の、外部に漏れ出る流量を１０-8ｍ3／ｓｅｃ未満に制限することができる孔（１２４）を介して、前記タイヤの外部の大気に流体的に連絡している、請求項３に記載のホイール。
【請求項５】
前記電気センサ（１００）は、加圧下で前記タイヤ内に閉じ込められている前記気体と、前記タイヤの外部に存在している大気との間の圧力差のセンサである、請求項１〜４のいずれか１つに記載のホイール。
【請求項６】
前記電気機械トランスデューサ（２０６、２２、２４）は、前記アームの変位によって生じる機械エネルギーを、前記圧力差を表わす物理量として、さらに用いることができる電気エネルギーに変換することができる、請求項５に記載のホイール。
【請求項７】
前記ホイールは、前記圧力差を表わす測定値を、無線リンクを介して、遠隔の受信器に送信することができる無線送信器（１０４）を備えており、この無線送信器は、前記変換システム（２）によって生成される電気エネルギーだけによって電力を供給される、請求項５または６に記載のホイール。
【請求項８】
前記変換システムは、少なくとも２つの変位可能なアームであって、該少なくとも２つのアームの間を、この少なくとも２つのアーム同士の相対的な変位を伴いながら、前記気体が、前記入口ノズルから前記出口ノズルまで通過して流れる、少なくとも２つのアームを備えており、この少なくとも２つのアームは、それらの変位中に、体積を増しながら、前記入口ノズルから遠ざかって、前記出口ノズルに到達する、前記気体のための少なくとも１つのポケットを画定するように作られており、互いに対して相対的に変位することができるようになっている、請求項１〜７のいずれか１つに記載のホイール。
【請求項９】
前記少なくとも２つのアーム（１２、１４）は、互いの間に入り込み合った渦巻状に形成されている、請求項８に記載のホイール。
【請求項１０】
前記電気装置（１００）は、加圧下で前記タイヤ内に閉じ込められている前記気体と、前記タイヤの外部に存在している大気との間の圧力差のセンサであり、前記変換システムは、２つの変位可能なアーム（１２、１４）であって、それらのアームの間を、前記気体が、前記入口ノズルから前記出口ノズルまで通過して流れることによって、互いに相対的に変位し、その変位中、体積を増しながら、前記入口ノズルから遠ざかって、前記出口ノズルに到達する、前記気体のための少なくとも１つのポケットを画定するように渦巻状に作られており、互いに対して相対的に変位することができる２つの変位可能なアーム（１２、１４）を備えているマイクロシステムとは異なる、請求項１〜７のいずれか１つに記載のホイール。